(57)【特許請求の範囲】
【請求項１】
回転軸を中心として放射状にターンテーブルカム溝を備えたターンテーブルと、
前記ターンテーブルの回転軸と同心の軸を中心軸として前記ターンテーブルに対して回転可能に前記ターンテーブルに嵌合され、一回転方向に沿って前記中心軸からの距離が短くなる部分を有するカム部材カム溝を備えたカム部材と、
前記ターンテーブルと前記カム部材とに係合し前記ターンテーブルに対して前記カム部材を前記一回転方向に付勢する付勢手段と、 
前記ターンテーブルカム溝と前記カム部材カム溝とに移動可能に係合する突起物円柱部を備え記録再生されるディスクの中心孔に係合して前記ディスクを前記ターンテーブルに保持する突起物とを有したディスク記録再生装置。
【請求項２】
前記ターンテーブルは前記ターンテーブルを所定の位置に回転規制するためのターンテーブル位置決め部を備え、前記カム部材は前記カム部材を回転させるためのカム部材係合部を備え、
前記ターンテーブル位置決め部に当接して前記ターンテーブルを所定の位置に回転規制させる当接部と前記カム部材係合部を押圧して前記カム部材を前記一回転方向とは逆方向に回転させる押圧部とを備え前記ターンテーブルに保持された記録再生されるディスクの保持を解除する押圧部材を有した請求項１記載のディスク記録再生装置。
【請求項３】
突起を有した移動可能なピックアップと、
前記突起に係合する第１係合部と第２係合部とが設けられ、前記第１係合部が前記突起の移動経路から退避した位置と前記第１係合部が前記突起に係合可能な位置とを移動可能な動力入力部材と、
前記第１係合部を前記突起の移動経路から退避する方向に付勢する付勢部材と前記付勢部材による付勢方向とは逆方向に外力を付与する動作切り換え突起と、
前記動力入力部材の移動に連動して移動可能な動力出力部材とを備え、
前記押圧部材が前記動力出力部材に設けられ、動作切り換え突起が前記付勢部材による付勢方向とは逆方向に外力を付与し前記突起と前記第１係合部とが係合し前記動力出力部材は前記ピックアップの移動に連動して移動して前記カム部材を前記一回転方向とは逆方向に回転させ、前記突起と前記第２係合部とが係合した際に前記ピックアップの移動に連 
動して移動して前記カム部材を前記一回転方向とは逆方向への回転を解除する請求項２記載のディスク記録再生装置。
【発明の詳細な説明】
【技術分野】
【０００１】
本発明は、例えばコンパクトディスク等の記録再生を行うディスク記録再生装置に関する。
【背景技術】
【０００２】
従来、この種の公知のディスク再生装置としては、移動可能な押圧部材でディスクをターンテーブルに押し付け、その押し付け力から発生する摩擦力によりディスクをターンテーブル上に保持するものとか、手動あるいは着脱機構により、ディスク中心孔をターンテーブルの嵌合部に合わせてそこに強制的に押圧することにより、複数の突起物がディスク中心孔の縁部に係合し付勢してディスクをターンテーブルに保持するとともに、ディスクに外力を加えて強制的に脱着するもの等が知られている（例えば、特許文献１参照）。
【０００３】
以下、図１１を参照して、特開平８−１８０５６５号に記載されている従来のディスク記録再生装置について説明する。図１１はそのような従来のディスク記録再生装置のディスク保持機構の構成を示す概略図であり、（Ａ）はその平面図、（Ｂ）はディスクを保持してディスク記録再生状態（突起物進行）を示す断面図、（Ｃ）はディスク保持前の待機状態（突起物後退）を示す断面図である。図１１において、２４はディスク（図示せず）をディスク位置決め部２９に定置保持し回転させるターンテーブルである。
【０００４】
また、２５はこのディスク中心孔の内縁部と嵌合するターンテーブル２４のディスク位置決め部２９の周囲に放射状に設けられディスクを押さえるよう進退可能な突起物、２６は着脱部材であって、それをターンテーブル２４に対して所定の回転角度だけ回転可能に設定するようターンテーブル２４の長孔に差し込まれた軸材３０と、ターンテーブル２４の周囲から突出してそれを回転させる係合部とを有する着脱部材である。
【０００５】
次に、図１１を参照して、上記従来のディスク記録再生装置の動作について説明する。まず、ターンテーブル２４の正転時において、ピックアップと一体に構成されたストッパ（図示せず）を図の右方から接近させて着脱部材２６の係合部に最も接近する位置で互いに係合すると、それにより突起物２５を進出させてディスクを保持するとともに、ターンテーブル２４の逆転時には、着脱部材２６の係合部がピックアップのストッパに逆方向から係合して、突起物２５を後退可能にし、ディスクの保持を解除することができる。
【特許文献１】特開平８−１８０５６５号公報
【発明の開示】
【発明が解決しようとする課題】
【０００６】
しかしながら、上記最初の従来技術におけるような押圧部材を用いた構成では、押圧部材とかこの押圧部材をターンテーブルに押し付けるための上下方向の外力を必要とし、また装置内に押圧部材がディスクを装着脱するために移動するスペースを必要とするという問題があった。
【０００７】
また、上記従来技術によりターンテーブル嵌合部の突起物でディスクを保持するようにした構成では、ディスクを強制的に装着脱するための外力を必要とし、また装着脱時にはディスクに反りが発生することにより、上下方向に長いストロークが必要になるということから、装置内に広いスペースを設ける必要があるとともに、ディスクの装着が不確実になりやすいという問題があった。
【０００８】
また、上記特開平８−１８０５６５号公報に記載された構造では、突起物２５の進退をディスクの回転動作により行うようにしているため、ディスクの装着脱時に手とか着脱機構、または他の部材とディスクの記録面と接触してしまうこともあり、そのような場合、ディスクに広範囲にわたる傷が発生して記録再生に支障をきたす恐れがあるという問題があった。
【０００９】
本発明は、上記従来の問題を解決するためになされたもので、ディスクの装着脱時及びディスクの記録再生時に特別な外力を必要とせず、省スペースで、かつディスクに記録再生に支障をきたす傷を発生させることなくディスクを確実に保持し得るディスク再生装置を提供することを目的とする。
【課題を解決するための手段】
【００１０】
本発明によるディスク記録再生装置は、ピックアップの通常の移動動作を駆動源として、その駆動力を動力伝達機構によりターンテーブルのディスク保持機構へ伝達し、その動作によりディスクをターンテーブル上に保持しその保持を解除するようにしたものである。
【００１１】
本発明によれば、押圧部材とかこの押圧部材をターンテーブルに押し付けるための外力、及び押圧部材によるディスクの装脱着のためのスペース等を装置内に必要とせず、ディスクを確実に保持し得るディスク記録再生装置が得られる。
【００１２】
また、本発明によるディスク記録再生装置は、ピックアップの駆動力をディスク保持機構に伝達する動力伝達機構のディスク保持動作とディスク解除動作とを切り換える動作切り換え機構を配置したものである。これによりピックアップの通常の動作範囲の動作によりディスクの保持及び解除の両動作を行うことができるため、狭いスペースでディスクの装着脱を行い得るディスク記録再生装置が得られる。
【００１３】
また、本発明によるディスク記録再生装置は、ディスク保持機構としては、ターンテーブルの回転を必要とせず、ピックアップの移動に伴う動力伝達機構の動作を受けて動作する突起物によりディスクをターンテーブル上に保持するようにしたものである。
【００１４】
本発明によれば、ピックアップ移動時の駆動力等他の外力を利用して突起物を進退させ、ディスクの中心孔内縁部に突起物を嵌合させるようにしたことにより、ターンテーブルを回転させずにディスクの保持動作を行うことができるため、ターンテーブル上に装着したディスクに対し記録再生に支障をきたすような傷を発生させることなく、ディスクの保持及び解除を行うことができるディスク記録再生装置が得られる。
【００１５】
〔発明の実施の形態〕
本発明の請求項１に記載のディスク記録再生装置は、回転軸を中心として放射状にターンテーブルカム溝を備えたターンテーブルと、前記ターンテーブルの回転軸と同心の軸を中心軸として前記ターンテーブルに対して回転可能に前記ターンテーブルに嵌合され、一回転方向に沿って前記中心軸からの距離が短くなる部分を有するカム部材カム溝を備えたカム部材と、前記ターンテーブルと前記カム部材とに係合し前記ターンテーブルに対して前記カム部材を前記一回転方向に付勢する付勢手段と、前記ターンテーブルカム溝と前記カム部材カム溝とに移動可能に係合する突起物円柱部を備え記録再生されるディスクの中心孔に係合して前記ディスクを前記ターンテーブルに保持する突起物とを有したものであり、特別な外力を必要とせず、省スペースでディスクの装着を行うことができるという作用を有する。
【００１６】
本発明の請求項２に記載のディスク記録再生装置は、本発明の請求項１に記載のディスク記録再生装置において、前記ターンテーブルと前記カム部材とに係合し前記ターンテーブルに対して前記カム部材を前記一回転方向に付勢する付勢手段とを有し、前記ターンテーブルは前記ターンテーブルを所定の位置に回転規制するためのターンテーブル位置決め部を備え、前記カム部材は前記カム部材を回転させるためのカム部材係合部を備え、前記ターンテーブル位置決め部に当接して前記ターンテーブルを所定の位置に回転規制させる当接部と前記カム部材係合部を押圧して前記カム部材を前記一回転方向とは逆方向に回転させる押圧部とを備え前記ターンテーブルに保持された記録再生されるディスクの保持を解除する押圧部材を有したものであり、ターンテーブルの回転位置決めを必要とせずに突起物を進退させてディスクの保持とその解除を行うようにしたことにより、ディスクの装着脱を容易に実現できるという作用を有する。
さらに、本発明の請求項３に記載のディスク記録再生装置は、本発明の請求項１に記載のディスク記録再生装置において、突起を有した移動可能なピックアップと、前記突起に係合する第１係合部と第２係合部とが設けられ、前記第１係合部が前記突起の移動経路から退避した位置と前記第１係合部が前記突起に係合可能な位置とを移動可能な動力入力部材と、前記第１係合部を前記突起の移動経路から退避する方向に付勢する付勢部材と前記付勢部材による付勢方向とは逆方向に外力を付与する動作切り換え突起と、前記動力入力部材の移動に連動して移動可能な動力出力部材とを備え、前記押圧部材が前記動力出力部材に設けられ、動作切り換え突起が前記付勢部材による付勢方向とは逆方向に外力を付与し前記突起と前記第１係合部とが係合し前記動力出力部材は前記ピックアップの移動に連動して移動して前記カム部材を前記一回転方向とは逆方向に回転させ、前記突起と前記第２係合部とが係合した際に前記ピックアップの移動に連動して移動して前記カム部材を前記一回転方向とは逆方向への回転を解除するものであり、ピックアップの移動動作を駆動源としてターンテーブル上にディスクの保持およびその解除を行うことにより、特別な外力を必要とせず、省スペースでディスクの装着を行うことができるという作用を有する。  
【発明の効果】
【００１７】
本発明は、上記のように構成し、特に、ディスクの記録面方向からの押圧を必要とせず、ターンテーブルの回転位置決めを必要とせずに突起物を進退させてディスクの保持とその解除を行うようにしたことにより、ディスクの装着脱を容易に実現でき、かつディスクの記録再生に支障をきたす傷を発生させることなくディスクを保持し得るディスク記録再生装置を提供することができる。
【発明を実施するための最良の形態】
【００１８】
以下、添付図面、図１乃至図１０に基づき、本発明の実施の形態を詳細に説明する。図１は本発明の第１の実施の形態におけるディスク記録再生装置の構成を示す概略図であって、（Ａ）は平面図、（Ｂ）は側面図、図２は図１に示すディスク保持機構の詳細な構成を示す図であり、（Ａ）はディスク保持前の待機状態（突起物後退）を示す平面図、（Ｂ）は図２（Ａ）に示すディスク保持機構のＡ−Ａ断面図、図３は図１に示すディスク保持機構の詳細な構成を示す図であり、（Ａ）はディスクを保持してディスク記録再生状態（突起物進行）にある（ディスク省略）ディスク保持機構の平面図、（Ｂ）は図３（Ａ）に示すディスク保持機構の断面図である。
【００１９】
また、図４は図１に示す動力伝達機構のディスク保持前の待機状態中における詳細な構成を示す平面図、図５は図１に示す動力伝達機構のディスクを保持してディスク記録再生中における詳細な構成を示す平面図、図６は図１に示す動作切り換え機構のディスク保持の解除中における詳細な構成を示す平面図、図７は図１に示す動作切り換え機構のディスク記録再生状態中における詳細な構成を示す平面図、図８は図１に示すディスク記録再生装置の動作の初期状態における（突起物後退）構成を示す平面図、図９は図１に示すディスク記録再生装置のディスク記録再生動作時における（突起物進行）構成を示す平面図、図１０は本発明の第２の実施の形態におけるディスク記録再生装置の構成を示す概略図であって、（Ａ）はディスク保持前の待機状態（突起物後退）を示す断面図、（Ｂ）はディスクを保持してディスク記録再生状態（突起物進行）にある（ディスク省略）ディスク保持機構の断面図である。
（第１の実施の形態）
図１乃至図７を参照して、本発明の第１の実施の形態におけるディスク記録再生装置の構成を詳細に説明する。まず、図１の（Ａ）及び（Ｂ）において、１はディスク記録再生装置であり、ディスク１０（図３の（Ｂ））を搭載するターンテーブル２と、ターンテーブル駆動用モータ３と、ディスク１０の書込再生を行うピックアップ４と、ピックアップ駆動用モータ５と、ピックアップ駆動用モータ５の駆動力をピックアップ４に伝達するリードスクリュー６とにより構成される。
【００２０】
更に、ディスク記録再生装置１は、ディスク装着脱のための動力伝達機構７（例としては図４とともに後述する）と、ピックアップ駆動用モータ５の駆動力をリードスクリュー６に伝達するギヤ列８と、ターンテーブル２上に搭載したディスク１０をそこに保持するディスク保持機構３１（例としては図２及び図３とともに後述する）と、ディスク保持のときとディスク装着脱のときとで動力伝達機構７の動作を切り替える動作切り替え機構３３（例としては図６及び図７とともに後述する）と、これら各構成部を搭載するベース９とにより構成される。
【００２１】
このような構成において、図示しない装置の制御によりオン／オフするピックアップ駆動用モータ５の駆動力を適当な構成のギヤ列８を介してリードスクリュー６に伝達し、リードスクリュー６を回転させることによりピックアップ４を移動させる。なお、図１にはピックアップ駆動用モータ５からリードスクリュー６に中継するギヤ列８は具体的に示していないが、どのような構成のギヤ列８でもよい。また、本実施の形態では、ピックアップ駆動用モータ５からリードスクリュー６を介してピックアップ４を移動させる例を示しているが、ラックとピニオン等を用いた構造とかリニアモータを用いた構造など、他の如何なる構造のものでも同様に実現可能である。
【００２２】
次に、図２の（Ａ）及び（Ｂ）と図３の（Ａ）及び（Ｂ）とを参照して、図１に示すディスク記録再生装置１のディスク保持機構３１の構成について詳細に説明する。同図において、ディスク保持機構３１は、ターンテーブル２と、回転してターンテーブル２の放射方向（内周または外周方向）に突起物１３を進行させてディスク１０を保持するカム部材１１と、常にカム部材１１に対し時計方向に付勢するバネ１２と、ターンテーブル２上に搭載したディスク１０の中心孔内縁部に対し外周方向に押圧してディスク１０を保持する突起物１３とにより構成される。
【００２３】
このような構成において、更に、ターンテーブル２はディスク１０の中心孔内縁部と嵌合することによりディスク１０の位置決めを行うディスク位置決め部２Ａと、平面図が三角形状をなしディスク１０をターンテーブル２に装着脱するためにターンテーブル２を所定の位置に位置決め固定する（詳細は後述する）ターンテーブル位置決め部２Ｂと、ディスク１０をターンテーブル２上に保持する突起物１３を放射状（外周方向）に進行または後退させるよう突起物１３の円柱部１３Ａを嵌合するカム溝２Ｃと、ターンテーブル２に対し所定の回転角度だけカム部材１１を回転可能にするためカム部材１１の円柱部１１Ｂを嵌合するカム溝２Ｄとを有して構成される。
【００２４】
また、カム部材１１は、ディスク１０をターンテーブル２上に保持する突起物１３の円柱部１３Ａを嵌合しカム部材１１をターンテーブル２に対し所定の回転角度だけ回転したときに突起物１３を放射状（外周方向）に進行させるカム溝１１Ａと、ターンテーブル２のカム溝２Ｄに嵌合しテーパ１４Ａ（図４において後述する）によりバネ１２に逆らって押圧されたときにカム部材１１を所定の回転角度だけ、図に示す例では反時計方向に回転させて、カム部材１１をその位置に保持する複数個の円柱部１１Ｂとを有し、カム部材１１はターンテーブル２と同心に所定の角度だけ回動可能に嵌合するよう構成される。また、カム部材１１は、図に示す例では、バネ１２によりターンテーブル２に対し時計方向に付勢され、そのときには、突起物１３を放射方向（外周方向）に進行させるよう構成される。
【００２５】
また、突起物１３は、カム部材１１のカム溝１１Ａに係合するとともに、ターンテーブル２のカム溝２Ｃにも係合し、カム部材１１がバネ１２のバネ力により時計方向に回転したときにカム溝１１Ａに沿ってカム部材１１の外周方向に放射状に移動する円柱部１３Ａを有し、それによって突起物１３をディスク１０の中心孔内縁部に係合させることにより、ディスク１０をターンテーブル２に保持するようにしている。
【００２６】
このようにして、カム部材１１の回転により突起物１３を進退させるようにする。また、本実施の形態におけるターンテーブル位置決め部２Ｂの一辺の位置またはターンテーブル２を位置決めする所定の位置は、動力出力部材１４（図４において後述する）が図１の右方に移動したときにテーパ１４Ａの上部により保持された位置である。更に、カム部材１１はテーパ１４Ａが図１の右方に移動すると、テーパ１４Ａの傾斜部が円柱部１１Ｂを押圧してカム部材１１を反時計方向に回転しうる位置に設定される。
【００２７】
次に、図４及び図５を参照して、図１に示すディスク記録再生装置１の動力伝達機構７の構成について詳細に説明する。図４及び図５において、動力伝達機構７は、ピックアップ４の移動または動力をターンテーブル２に伝達する動力入力部材１５及び動力出力部材１４と、ディスク記録再生装置１の書込再生状態において、ピックアップ４の移動領域から動力入力部材１５に設けたピックアップ係合部１５Ｂを除外するよう作用する付勢部材１６とにより構成される。
【００２８】
そして、動力出力部材１４はディスクの装着及び取外しのときにターンテーブル位置決め部２Ｂの位置決め及び回転規制（カム部材１１を回転させるための保持）を行うとともにカム部材１１を反時計方向に回転保持してディスクの装着及び取外しを可能にするテーパ１４Ａと、長孔１４Ｂ及び丸孔１４Ｃとを有し、その長孔１４Ｂが、ベース９に設けられた軸材９Ａに嵌合する。動力入力部材１５はピックアップ４に係合するピックアップ係合部１５Ａ及び１５Ｂと、付勢部材（例えば、板バネ等からなり、他の如何なる弾力性のある部材でもよい）１６に当接する付勢部１５Ｃとを有し、そこに設けられた軸材１５Ｄが、ベース９の長孔９Ｂに嵌合するとともに、動力出力部材１４の丸孔１４Ｃに回動自在に嵌合されている。
【００２９】
また、動力入力部材１５に設けられた軸材１５Ｅが、ベース９のカム溝９Ｃに嵌合されている。付勢部材１６の一端はベース９に固定されており、他端は動力入力部材１５が図４及び図５の左方に移動したときに動力入力部材１５の付勢部１５Ｃに係合して、動力入力部材１５をその軸材１５Ｅを中心に時計方向に付勢して回転させるような位置に設定される。
【００３０】
次に、図６及び図７を参照して、図１に示すディスク記録再生装置１の動作切り換え機構３３の構成について詳細に説明する。図６及び図７において、動作切り換え機構３３は、本実施の形態では、このディスク記録再生装置１外の動力源（例えば、他の装置にも使用するモータ、ソレノイド等）からの動力から与えられる外力を受ける突起１７Ａを有する回転部材１７で構成される。
【００３１】
そして、回転部材１７はベース９に設けられた軸材９Ｄに対し回動可能に嵌合されており、かつ回転部材１７の左端は動力入力部材１５の軸材１５Ｅに係合している。また、動力入力部材１５のピックアップ係合部１５Ａ及び１５Ｂは、動作において、ピックアップ４の突起４Ａと係合するよう構成される（詳細は後述する）。
【００３２】
次に、図１乃至図７に加え、図８及び図９を参照して、上記のように構成されたディスク記録再生装置の動作について説明する。
【００３３】
まず、第１に、ディスク保持前の待機状態からディスクの記録再生を行うディスク保持状態までの動作について説明する。図８は待機状態を示しており、ピックアップ４はディスクの外周側に待機している。その際、図８に示すように、動力入力部材１５の係合部１５Ｂはピックアップ４の突起４Ａに係合して図の右方へ移動することにより、動力出力部材１４をディスク内周側、すなわち、図の右方へ移動してそこに待機させる。その際、図４に示すように、テーパ１４Ａがターンテーブル２に設けたターンテーブル位置決め部２Ｂの三角形の一辺に当接してターンテーブル２の回転を規制するとともにカム部材１１を反時計方向に回転し保持してディスクの装着及び取外しを可能にする。
【００３４】
このように、ターンテーブル２の回転を規制して動かないようにしておき、テーパ１４Ａの傾斜面によりカム部材１１の円柱部１１Ｂを押圧して、カム部材１１をターンテーブル２に対し反時計方向に回転することにより、円柱部１３Ａをカム溝１１Ａに沿ってターンテーブル２の中心方向に引き寄せ、突起物１３を中心方向に後退させてディスク外周方向への進出を規制する。これにより突起物１３はターンテーブル２に設けたディスク位置決め部２Ａの中に収納される。その状態において、ディスク１０の中心孔内縁部をターンテーブル２に設けたディスク位置決め部２Ａに嵌合させて、ディスク１０をターンテーブル２上に装着させることができる。尚、テーパ１４Ａの傾斜面は、本実施の形態では、その先端の全面を傾斜させるようにしているが、先端の一部を平坦にして円柱部１１Ｂを積極的に押圧させるようにしてもよい。
【００３５】
次に、図示しない感知手段により、ディスク１０がターンテーブル２上に装着されたことを感知すると、ピックアップ４はディスク１０の内周方向（図の左方向）へ移動する。図５、図７及び図９に示すように、ピックアップ４に設けた突起４Ａが、動力入力部材１５に設けたピックアップ係合部１５Ａに係合して、そこにピックアップ４の駆動力を付与することにより、図５、図７及び図９に示すように、動力入力部材１５の軸材１５Ｄ及び１５Ｅが、ベース９に設けられた長孔９Ｂ及びカム溝９Ｃの長孔部をガイドとして、動力入力部材１５を図５等の左方向に移動する。
【００３６】
動力入力部材１５のこの動作により、動力出力部材１４に設けた長孔１４Ｂ（図５及び図９）に対し嵌合しているベース９の軸材９Ａをガイドとして、動力出力部材１４を動力入力部材１５と同一の左方向に移動する。動力出力部材１４が図５及び図７の左方向に移動すると、この動力出力部材１４のテーパ１４Ａによるカム部材１１の円柱部１１Ｂに対する拘束は解かれる（図３）。そこで、カム部材１１に対するバネ１２の付勢により、カム部材１１はターンテーブル２と同心に時計方向に回転する。
【００３７】
カム部材１１が時計方向に回転すると、突起物１３に設けた円柱部１３Ａは、カム部材１１のカム溝１１Ａをガイドに摺動され、ターンテーブル２のディスク位置決め部２Ａの外周方向に放射状に力が与えられ、ターンテーブル２に設けたカム溝２Ｃをガイドとしてディスク位置決め部２Ａから外周方向に進出する。そこで、突起物１３がディスク１０の中心孔内縁部に係合し、ディスク１０をターンテーブル２に保持する。
【００３８】
更に、ピックアップ４がディスクの内周方向（例えば、図５及び図９の左方向）に移動すると、動力出力部材１４に設けたテーパ１４Ａとターンテーブル２に設けたターンテーブル位置決め部２Ｂの係合が解かれるとともに、図５及び図９に示すように、動力入力部材１５に設けた軸材１５Ｅがベース９に設けたカム溝９Ｃの左端下部にあるカム部に移動し、かつ動力入力部材１５に設けた付勢部１５Ｃが付勢部材（板バネ）１６に係合して付勢されることにより、動力入力部材１５は軸材１５Ｄを中心に時計方向に回転する。そして、動力入力部材１５に設けたピックアップ係合部１５Ｂはピックアップ４の突起４Ａの移動通路から退避する。
【００３９】
これにより、図５及び図９に示すように動力入力部材１５に設けた軸材１５Ｅが回転部材１７の左端に係合して、軸材９Ｄを中心に回転部材１７を反時計方向に回転し、ベース９に設けたストッパ９Ｅに当接して停止する。そして、軸材１５Ｅがカム溝９Ｃの左端下部に入ることにより、動力入力部材１５及び動力出力部材１４は図の左方向、すなわち、ディスク保持状態またはディスク記録再生状態に保持される。
【００４０】
第２に、ディスク記録再生装置１のディスク記録再生時の動作について説明する。図９はディスク記録再生動作状態を示す。この状態では、図２に示すように、ターンテーブル２に設けたターンテーブル位置決め部２Ｂに対する動力出力部材１４に設けたテーパ１４Ａの拘束が完全に解かれ、ターンテーブル２はターンテーブル駆動用モータ３により回転することが可能となる。また、図５、図７及び図９に示すように、動力入力部材１５はベース９に設けた付勢部材１６により付勢されている状態にある。
【００４１】
この状態において、ピックアップ４は記録再生のため、ディスク内周側またはディスク外周側に移動する。しかし、動力入力部材１５に設けたピックアップ係合部１５Ｂはピックアップ４の突起４Ａの移動通路から退避しているので、突起４Ａと動力入力部材１５に設けたピックアップ係合部１５Ａ及び１５Ｂとにそれ以上係合することはない。この状態でターンテーブル２が回転し、ピックアップ４を移動して、ディスク１０の記録再生を行うことが可能になる。
【００４２】
次に、ディスク記録再生動作からディスク保持の解除を行うまでの動作について説明する。ディスク記録再生動作時には、ターンテーブル駆動用モータ３によりターンテーブル２が回転し、ピックアップ４は移動可能範囲の任意の位置に存在する。図示しない制御手段からディスク記録再生動作を停止する命令を受けると、ターンテーブル駆動用モータ３は停止して、ターンテーブル２の回転は任意の位置で停止する。その後に続き、ピックアップ４をディスク内周側に移動させ、その最内周（例えば、図５に示す位置）で停止させる。
【００４３】
次に、図９に示す位置において、動作切り換え機構３３としての回転部材１７に設けた突起１７Ａに対し、付勢部材１６による付勢方向（反時計方向）とは逆の外力を付与することにより、軸材９Ｄを軸にして回転部材１７を時計方向に回転する。これにより、回転部材１７の左端と係合している軸材１５Ｅが上方に移動して動力入力部材１５を反時計方向に回転し、ピックアップ係合部１５Ｂをピックアップ４の突起４Ａの移動通路内に持ち上げ復帰させる。尚、回転部材１７の突起１７Ａに与えられる外力は、このディスク記録再生装置外の動力源（例えば、他の装置にも使用するモータ、ソレノイド等）からの動力を利用する。
【００４４】
次に、ピックアップ４がディスク外周方向に移動すると、ピックアップ４に設けた突起４Ａが動力入力部材１５に設けたピックアップ係合部１５Ｂと係合して、動力入力部材１５及び動力出力部材１４を図９の右方向に移動する。これにより、動力出力部材１４のテーパ１４Ａがターンテーブル位置決め部２Ｂと係合してターンテーブル２を位置決め保持し、回転できないようにその動きを規制する。
【００４５】
次に、テーパ１４Ａがカム部材１１に設けた円柱部１１Ｂに係合することにより、カム部材１１をターンテーブル２に対し時計方向に回転させ、これにより突起物１３はターンテーブル２のディスク位置決め部２Ａの中に収納され、ピックアップ４の移動を停止させる。この状態で、ディスク１０をターンテーブル２上から取り上げることにより、ディスク保持の解除が完了する。なお、この時の状態は前述のディスク保持前の待機状態と同じ状態となる。
【００４６】
以上説明した本発明の第１の実施の形態において、第１の構成部は、ピックアップ４の駆動力を動力伝達機構７によりターンテーブル２へ伝達し、その動作を受けたディスク保持機構３１によりディスク１０をターンテーブル２上に保持し及びその保持を解除する構成部である。
【００４７】
第２の構成部は、外部の動力を受ける突起１７Ａを有する動作切り換え機構（回転部材１７）３３を使用し、ディスク１０の保持を解除する際、突起１７Ａに外力を付与して動力入力部材１５のピックアップ係合部１５Ｂとピックアップ４の突起４Ａとを係合させうる状態にピックアップ係合部１５Ｂを移動して、ディスク保持状態から待機状態に動力伝達機構７を切り換える構成部である。
【００４８】
第３の構成部は、第１の構成部におけるディスク保持機構３１として、ディスクを記録面方向から押圧し保持する機構ではなく、ターンテーブル２上にカム部材１１と係合する突起物１３を設け、その進退をターンテーブル２の回転を用いずに、例えばピックアップ４の動作を用いて行う構成部である。
【００４９】
第４の構成部は、第１の構成部における動力伝達機構７として、ピックアップ４の駆動力を、本実施の形態では、動力入力部材１５及び動力出力部材１４などを用いてターンテーブル２に伝達し、ターンテーブル２を回転位置決めして保持し、ターンテーブル２を回転させることなくカム部材１１のみを回転して、突起物１３を進退させることにより、ディスクの保持及びその解除を行う構成部である。
（第２の実施の形態）
次に、図１０を参照して、本発明の第２の実施の形態におけるディスク記録再生装置について詳細に説明する。本第２の実施の形態では、ディスク記録再生装置のディスク保持機構３５が第１の実施の形態におけるディスク保持機構３１と異なるよう構成される。まず、図１０を参照して、ディスク保持機構３５の構成を説明する。
【００５０】
本第２の実施の形態におけるディスク記録再生装置のディスク保持機構３５以外の他の構成部、すなわち、ピックアップ４、動力出力部材１４、動力入力部材１５等は図１〜図９に示す構成と同様なものである。但し、異なる部分としては、第１の実施の形態における動力出力部材１４には、ターンテーブル２の位置決めとカム部材１１の回転とを行うテーパ１４Ａが設けられているが、第２の実施の形態における動力出力部材１４にはテーパ１４Ａがなく、動力変換部材１８と係合してそれを上下動作させる傾斜面を有するテーパ１４Ｄが設けられる点において異なる。
【００５１】
また、本実施の形態におけるディスク保持機構３５は、第１の実施の形態におけるディスク保持機構３１のカム部材１１と、バネ１２と、突起物１３との代わりに、ターンテーブル２の内部を上下方向に移動する動力変換部材１８と、この動力変換部材１８とテーパ面で接触する突起物１９と、突起物１９の上下方向の動作を拘束する固定板２０と、固定板２０により動力変換部材１８を上下方向に付勢しているバネ２１とが内蔵されている。また、動力変換部材１８には、動力出力部材１４のテーパ部１４Ｄと係合する突き出しが設けられる。
【００５２】
次に、図１０を参照して、以上のように構成された本発明の第２の実施の形態におけるディスク記録再生装置の動作を詳細に説明する。まず、待機状態において、動力変換部材１８は動力出力部材１４のテーパ部１４Ｄにより押し上げられた状態（図１０の（Ａ））で、バネ２１により下方向に付勢されている。ここで、ピックアップ４がターンテーブル２の内周方向に移動すると、それに連動して、動力出力部材１４は外周方向に移動する。このとき、動力変換部材１８は動力出力部材１４のテーパ１４Ｄの傾斜面に沿って下方向に移動する。
【００５３】
ただし、そのとき、突起物１９はターンテーブル２と固定板２０とにより上下方向が拘束されているため、突起物１９はテーパ面に沿って進行し、ディスク１０の中心孔内縁部に当接して、ディスク１０を保持する。ディスク１０がターンテーブル２に保持されると、動力出力部材１４は、第１の実施の形態の場合と同様に、動力変換部材１８およびピックアップ４と干渉しない位置に待避する。それにより、ディスク保持機構３５は図１０の（Ｂ）に示す状態となる。
【００５４】
また、ディスク１０の保持を解除するときは、待避していた動力入力部材１５をピックアップ４と係合させ、動力出力部材１４のテーパ１４Ｄの傾斜面により動力変換部材１８を押し上げることにより突起物１９をディスク保持状態とは逆にターンテーブル２の中心方向に移動させることにより、突起物１９を後退させてディスク１０の保持を解除する。それにより、ディスク保持機構３５は図１０の（Ａ）に示す状態に戻る。
【００５５】
このようにして、ディスク保持およびその解除の際にターンテーブルを回転させることなくディスクの保持／解除を行うことができるため、ディスクに記録再生に支障をきたすような傷を発生させることなく、ディスクの保持を行うことができる。また、さらにディスク保持およびその解除の際に、特別なターンテーブル２の位置決め機構を必要とせずにディスクの保持を行うことができる。
【産業上の利用可能性】
【００５６】
本発明は、ターンテーブルの回転位置決めを必要とせずに突起物を進退させてディスクの保持とその解除を行うようにしたことにより、ディスクの装着脱を容易に実現でき、かつディスクの記録再生に支障をきたす傷を発生させることなくディスクの保持を行うことができるので、例えばコンパクトディスク等の記録再生を行うディスク記録再生装置に有用である。
【図面の簡単な説明】
【００５７】
【図１】本発明の第１の実施の形態におけるディスク記録再生装置の構成を示す概略図であって、  （Ａ）は平面図  （Ｂ）は側面図
【図２】図１に示すディスク保持機構の詳細な構成を示す図であり、  （Ａ）はディスク保持前の待機状態（突起物後退）を示す平面図  （Ｂ）は図２（Ａ）に示すディスク保持機構のＡ−Ａ断面図
【図３】図１に示すディスク保持機構の詳細な構成を示す図であり、  （Ａ）はディスクを保持してディスク記録再生状態（突起物進行）にある（ディスク省略）ディスク保持機構の平面図  （Ｂ）は図３（Ａ）に示すディスク保持機構の断面図
【図４】図１に示す動力伝達機構のディスク保持前の待機状態中における詳細な構成を示す平面図
【図５】図１に示す動力伝達機構のディスクを保持してディスク記録再生中における詳細な構成を示す平面図
【図６】図１に示す動作切り換え機構のディスク保持の解除中における詳細な構成を示す平面図
【図７】図１に示す動作切り換え機構のディスク記録再生状態中における詳細な構成を示す平面図
【図８】図１に示すディスク記録再生装置の動作の初期状態における（突起物後退）構成を示す平面図
【図９】図１に示すディスク記録再生装置のディスク記録再生動作時における（突起物進行）構成を示す平面図
【図１０】本発明の第２の実施の形態におけるディスク記録再生装置の構成を示す概略図であって、  （Ａ）はディスク保持前の待機状態（突起物後退）を示す断面図  （Ｂ）はディスクを保持してディスク記録再生状態（突起物進行）にある（ディスク省略）ディスク保持機構の断面図
【図１１】従来のディスク記録再生装置のディスク保持機構の構成を示す概略図であって、  （Ａ）は平面図  （Ｂ）はディスクを保持してディスク記録再生状態（突起物進行）を示す断面図  （Ｃ）はディスク保持前の待機状態（突起物後退）を示す断面図
【符号の説明】
【００５８】
２    ターンテーブル
２Ａ  ディスク位置決め部
２Ｂ  ターンテーブル位置決め部
２Ｃ、２Ｄ  カム溝
３  メーンテーブル駆動用モータ
４  ピックアップ
４Ａ  突起
５  ピックアップ駆動用モータ
６  リードスクリュー
７  動力伝達機構
８  ギヤ列
９  ベース
９Ａ  軸材
９Ｂ  長孔
９Ｃ  カム溝
１０  ディスク
１１  カム部材
１１Ａ  カム溝
１１Ｂ、１３Ａ  円柱部
１２  バネ
１３  突起物
１４  動力出力部材
１４Ａ  テーパ
１４Ｂ  長孔
１４Ｃ  丸孔
１４Ｄ  テーパ
１５  動力入力部材
１５Ａ、１５Ｂ  ピックアップ係合部  
１５Ｃ  付勢部
１５Ｄ、１５Ｅ  軸材
１６  付勢部材（板バネ）
１７  回転部材
１７Ａ  突起
１８  動力変換部材
１９  突起物
２０  固定板
２１  バネ
２２  ディスク保持機構
２３  ディスク
２４  ターンテーブル
２５  突起物
２６  着脱部材
２８  ピックアップ
２９  ディスク位置決め部
３０  軸材
３１  ディスク保持機構
３３  動作切り換え機構
３５  ディスク保持機構
【図１】
0003694519.tif 000002
【図２】
0003694519.tif 000003
【図３】
0003694519.tif 000004
【図４】
0003694519.tif 000005
【図５】
0003694519.tif 000006
【図６】
0003694519.tif 000007
【図７】
0003694519.tif 000008
【図８】
0003694519.tif 000009
【図９】
0003694519.tif 000010
【図１０】
0003694519.tif 000011
【図１１】
0003694519.tif 000012